(57)【要約】【課題】鮎のサイズにかかわらず、釣人が簡単且つ確実に鮎を収容することができる鮎釣用曳舟を提供する。【解決手段】鮎釣用曳舟１０は、内部に収容室３７が区画され且つ収容室に連通する開口が上面に設けられた曳舟本体１１と、開口の位置に設けられ、開口及び収容室に連通する鮎挿入口が形成された環状の蓋体１４と、蓋体１４に設けられ、曳舟本体１１の前後方向を基準に左右対称に回動することによって鮎挿入口を開放する開放姿勢と鮎挿入口を閉鎖する閉鎖姿勢との間で観音開き式に姿勢変化する第１扉部材４１および第２扉部材４２を有する扉１６とを備え、第１扉部材４１および第２扉部材４２が閉鎖姿勢であるときに扉１６の上面に前方から後端に向かって漸次収容室の側へ傾斜する案内凹面４５が形成されている。【選択図】図１
2014204681.tif 000002
【特許請求の範囲】
【請求項１】
内部に収容室が区画され且つ上記収容室に連通する開口が上面に設けられた曳舟本体と、
上記開口の位置に設けられ、上記開口及び上記収容室に連通する鮎挿入口が形成された環状の蓋体と、
上記蓋体に設けられ、上記曳舟本体の前後方向を基準に左右対称に回動することによって上記鮎挿入口を開放する開放姿勢と上記鮎挿入口を閉鎖する閉鎖姿勢との間で観音開き式に姿勢変化する第１扉部材および第２扉部材を有する扉とを備え、
上記第１扉部材および上記第２扉部材が上記閉鎖姿勢であるときに上記扉の上面に前方から後端に向かって漸次上記収容室側へ傾斜する案内凹面が形成されている鮎釣用曳舟。
【請求項２】
上記閉鎖位置である上記第１扉部材及び上記第２扉部材それぞれの互いに対向する対向面の上縁が、上記案内凹面の谷線を形成している請求項１に記載の鮎釣用曳舟。
【請求項３】
上記案内凹面の横断面形状は、左右対称の曲線である請求項２に記載の鮎釣用曳舟。
【請求項４】
上記蓋体の後端部は、上記案内凹面上に迫り出したひさしを形成している請求項１から３のいずれかに記載の鮎釣用曳舟。
【請求項５】
上記曳舟本体の上下方向における上記案内凹面及び上記ひさしの離間距離は、上記曳舟本体の前方側ほど大きい請求項４に記載の鮎釣用曳舟。
【発明の詳細な説明】
【技術分野】
【０００１】
この発明は、鮎釣りの際にオトリとして使用される鮎を保管する曳舟の構造に関するものである。
【背景技術】
【０００２】
いわゆる友釣り（鮎釣り）では、釣人は鮎釣用曳舟（以下、「曳舟」と称される。）を携行する（たとえば特許文献１参照）。図６及び図７が示すように、従来の曳舟１は、曳舟本体２の上面に蓋３が設けられており、この蓋３は、ヒンジ４を中心に回動することによって開閉する。実釣においておとり鮎が交換される場合や、納竿時に曳舟に収容された鮎がオトリ缶に入れ替えられる場合には、釣人は、図７が示すように蓋３を開放する。
【０００３】
実釣において、釣れた鮎も曳舟１に収容される。蓋３は扉５を備えており、この扉５は、観音開き式に開閉する。扉５は、ヒンジを介して蓋３に連結されており、常時閉じ姿勢（図６の姿勢）となるように弾性付勢されている。釣人は、釣れた鮎を把持し、扉５を下方に押し込めば、扉５が開放され、その隙間から鮎を曳舟１内に導入する。
【先行技術文献】
【特許文献】
【０００４】
【特許文献１】特開２００７−１１０９５７号公報
【発明の概要】
【発明が解決しようとする課題】
【０００５】
ところで、実釣では釣れる鮎のサイズは様々である。鮎のサイズが大きい場合は、釣人が扉５を押す力に加えて鮎の体重も作用するので、扉５はスムーズに開き、当該鮎が確実に曳舟１内に導入される。一方で、鮎のサイズが小さい場合は、釣人は鮎を手でしっかりと把持しながら扉５を押し開け、その状態で手の力を緩めて鮎を曳舟１内に落下させるという作業が必要である。ところが、この作業は決して容易ではなく、手の力を緩めるタイミングが早すぎると鮎が暴れて逃げてしまうおそれがある。
【０００６】
この発明は、かかる背景のもとになされたものであって、その目的は、鮎のサイズにかかわらず、釣人が簡単且つ確実に鮎を収容することができる鮎釣用曳舟を提供することである。
【課題を解決するための手段】
【０００７】
(1)  本発明に係る鮎釣用曳舟は、内部に収容室が区画され且つ上記収容室に連通する開口が上面に設けられた曳舟本体と、上記開口の位置に設けられ、上記開口及び上記収容室に連通する鮎挿入口が形成された環状の蓋体と、上記蓋体に設けられ、上記曳舟本体の前後方向を基準に左右対称に回動することによって上記鮎挿入口を開放する開放姿勢と上記鮎挿入口を閉鎖する閉鎖姿勢との間で観音開き式に姿勢変化する第１扉部材および第２扉部材を有する扉とを備える。そして、上記第１扉部材および第２扉部材が上記閉鎖姿勢であるときに上記扉の上面に前方から後端に向かって漸次上記収容室側へ傾斜する案内凹面が形成されている。
【０００８】
釣人は、鮎を持った手で扉を押さえて第１扉部材及び第２扉部材を観音開きさせ、開放された鮎挿入口に向けて鮎を手放すことによって、当該鮎を収容室に収容することができる。ここで、上記構成によれば、例えば小さいサイズの鮎を収容室に収容しようとする場合において、扉が開放される前に鮎を手放してしまったとしても、当該鮎が案内凹面に保持されて逃げ出すのを抑制することができる。すなわち、釣人が簡単且つ確実に鮎を収容室に収容することができる。
【０００９】
(2)  好ましくは、上記閉鎖位置である上記第１扉部材及び上記第２扉部材それぞれの互いに対向する対向面の上縁が、上記案内凹面の谷線を形成している。
【００１０】
上記構成によれば、案内凹面上の鮎が扉の中央側（すなわち、第１扉部材及び第２扉部材それぞれの対向面の側）に案内される。その結果、案内凹面に保持された鮎が逃げ出すのをさらに効果的に抑制することができる。
【００１１】
(3)  好ましくは、上記案内凹面の横断面形状は、左右対称の曲線である。
【００１２】
上記構成によれば、案内凹面に保持された鮎が逃げ出すのをさらに効果的に抑制することができる。但し、案内凹面の横断面形状は上記の例に限定されず、例えば、左右対称の直線であってもよい。
【００１３】
(4)  好ましくは、上記蓋体の後端部は、上記案内凹面上に迫り出したひさしを形成している。
【００１４】
上記構成によれば、案内凹面上の鮎がひさしによって上方から覆われるので、案内凹面に保持された鮎が逃げ出すのをさらに効果的に抑制することができる。
【００１５】
(5)  好ましくは、上記曳舟本体の上下方向における上記案内凹面及び上記ひさしの離間距離は、上記曳舟本体の前方側ほど大きい。
【００１６】
上記構成によれば、鮎を案内凹面上に導入しやすく、且つ案内凹面によって扉の後端側に案内された鮎が逃げ出すのをさらに効果的に抑制することができる。
【発明の効果】
【００１７】
この発明によれば、扉上の鮎を案内凹面で保持できるので、鮎のサイズにかかわらず、釣人が簡単且つ確実に鮎を収容することができる鮎釣用曳舟を得ることができる。
【図面の簡単な説明】
【００１８】
【図１】図１は、本発明の一実施形態に係る鮎釣用曳舟の前方斜視図である。
【図２】図２は、本発明の一実施形態に係る鮎釣用曳舟の後方斜視図である。
【図３】図３は、本発明の一実施形態に係る鮎釣用曳舟の前方斜視図であって、蓋体の開放状態を示している。
【図４】図４は、本発明の一実施形態に係る鮎釣用曳舟の横断面図であって、（ａ）は扉の閉鎖姿勢を示しており、（ｂ）は扉の開放姿勢を示している。
【図５】図５は、本発明の一実施形態に係る鮎釣用曳舟の縦断面図である。
【図６】図６は、従来の一般的な曳舟の前方斜視図である。
【図７】図７は、従来の一般的な曳舟の後方斜視図である。
【発明を実施するための形態】
【００１９】
以下、本発明の好ましい実施形態が、適宜図面が参照されながら説明される。なお、本実施の形態は、本発明に係る鮎釣用曳舟の一態様にすぎず、本発明の要旨を変更しない範囲で実施態様が変更されてもよいことは言うまでもない。
【００２０】
図１〜図３は、本発明の一実施形態に係る鮎釣用曳舟１０の斜視図である。
【００２１】
この鮎釣用曳舟１０は、鮎釣りの際にオトリとして使用される鮎を生きたまま保存するためのものである。鮎釣用曳舟１０は、実釣中に釣人の身体等に係留され、川面に浮かべられる。鮎釣用曳舟１０は、曳舟本体１１と、図示されていない係留ロープとを備えている。この係留ロープの一端部は、曳舟本体１１の船首に設けられたロープアンカー１２に連結され、他端部が例えば釣人の腰部に繋がれる。
【００２２】
曳舟本体１１は、ボート状の外観を呈し、例えば、アクリロニトリルブタジエンスチレン共重合体（ＡＢＳ）、アクリル、ポリプロピレン（ＰＰ）、ポリカーボネート（ＰＣ）、等の樹脂から構成される。本実施形態における曳舟本体１１は、下部本体３５及び上部本体３６を有し、これらが上下方向に嵌め合わされている。両者が嵌め合わされる位置は、同図において、パーティングラインＮ１で示されている。
【００２３】
図３に示されるように、曳舟本体１１の内部は空洞になっている。この空洞は、鮎を収容する収容室３７を構成する。すなわち、収容室３７は、曳舟本体１１の内部に区画されている。また、曳舟本体１１の上面１３に開口３８が設けられている。この開口３８は、収容室３７と連通している。曳舟本体１１の上面には、環状に構成された蓋体１４が取り付けられている。この蓋体１４は、開口３８を開閉する。
【００２４】
曳舟本体１１は、給水孔１９〜２１及び排水孔２２〜２４を備えている。これらは、曳舟本体１１の内部と連通している。したがって、この鮎釣用曳舟１０が川面に浮かべられると、給水孔１９〜２１を通じて水が曳舟本体１１の内部、すなわち収容室３７に進入する。また、収容室３７内の水は、排水孔２２〜２４を通じて排出される。なお、収容室３７に水が進入した場合であっても、鮎釣用曳舟１０が沈没しないように曳舟本体１１の浮力が設定されている。
【００２５】
給水孔１９〜２１は、船首前面２８に左右対称に設けられている。図１には、船首前面２８の左側に配置された給水孔１９〜２１が示されている。各給水孔１９〜２１は、細長の貫通孔からなり、船首前面２８に沿って上下方向に延びている。排水孔２２〜２４は、曳舟本体１１の側面３０に左右対称に設けられている。図１〜図３には、左舷側面３０に配置された排水孔２２〜２４が示されている。各排水孔２２〜２４は、細長の貫通孔からなり、左舷及び右舷の側面３０に沿って前後方向に延びている。
【００２６】
蓋体１４は、ヒンジ１５を介して曳舟本体１１に対して回動可能に連結されている。具体的には、蓋体１４は、当該蓋体１４の後端に設けられた蓋支持軸３９周りに回動する。なお、蓋支持軸３９は、図１〜図３において二点鎖線で示されている。蓋支持軸３９は、曳舟本体１１の上面１３で且つ開口３８の後方において、曳舟本体１１の左右方向に延設されている。蓋体１４は、蓋支持軸３９を中心として俯仰動作することにより、図１及び図２に示されるように開口３８を閉鎖する閉鎖姿勢と、図３に示されるように開口３８を開放する開放姿勢との間で姿勢変化する。図３に示されるように、蓋体１４を開放姿勢にして開口３８を露出させることにより、釣人は、容易に鮎を収容室３７に出し入れすることができる。
【００２７】
蓋体１４は、ロック機構１７を備えている。ロック機構１７は、蓋体１４の前端、すなわち蓋体１４の回動先端側に取り付けられている。このロック機構１７は、蓋体１４を閉鎖姿勢にロックする。より具体的には、ロック機構１７は、蓋体１４に対して前後方向に出退するロック部材１８を備える。ロック部材１８は、蓋体１４から前方に突出することにより、開口３８の外縁を構成する曳舟本体１１に係合する。これにより、蓋体１４が閉鎖姿勢にロックされるので、釣人が意図しないときに蓋体１４が開放されることが防止される。また、ロック部材１８は、蓋体１４側に退避することにより、曳舟本体１１との係合が解除される。これにより、蓋体１４が閉鎖姿勢から開放姿勢に回動可能になる。
【００２８】
蓋体１４の環状の内側には、図４に示されるように、開口３８及び収容室３７に連通する鮎挿入口４０が形成されている。そして、蓋体１４には、鮎挿入口４０を開閉する扉１６が取り付けられている。この扉１６は、第１扉部材４１と第２扉部材４２とが曳舟本体１１の前後方向を基準に左右対称に回動する観音開き式である。第１扉部材４１及び第２扉部材４２は、蓋体１４の下面に設けられたヒンジ（図示省略）の周りに曳舟本体１１の内側に回動することによって、図４（ａ）に示される閉鎖姿勢と、図４（ｂ）に示される開放姿勢との間で姿勢変化する。
【００２９】
図４（ａ）に示される閉鎖姿勢において、第１扉部材４１及び第２扉部材４２は、それぞれの対向面４３、４４を対向させて鮎挿入口４０を閉鎖する。対向面４３、４４は、各々が曳舟本体１１の前後方向に延設されており、扉１６が閉鎖姿勢のときに曳舟本体１１の左右方向において互いに対向する。図４（ｂ）に示される開放姿勢において、第１扉部材４１及び第２扉部材４２は、それぞれ曳舟本体１１の内側に回動して鮎挿入口４０を開放する。すなわち、対向面４３、４４は、収容室３７の内部に進入し且つ曳舟本体１１の左右方向において互いに離間する。
【００３０】
また、第１扉部材４１及び第２扉部材は、図示しない付勢部材によって閉鎖姿勢側に弾性付勢されている。すなわち、扉１６は、上面側から下向きの力が加えられることによって閉鎖姿勢から開放姿勢に姿勢変化し、この力が除去されることによって開放姿勢から閉鎖姿勢に姿勢変化する。これにより、釣人は、蓋体１４を開くことなく、釣れた鮎を扉１６から容易に収容室３７へ入れることができ、且つ収容室３７内の鮎が飛び出すことを抑制できる。
【００３１】
扉１６の上面には、図１〜図３に示されるように、案内凹面４５が形成されている。案内凹面４５は、扉１６の後方側において第１扉部材４１及び第２扉部材４２に亘って形成された凹みである。案内凹面４５は、図５に示されるように、閉鎖姿勢である扉１６の上面において、前方側から後端に向かって漸次収容室３７の側へ傾斜している。すなわち、案内凹面４５は、扉１６の前方側から後端に向かって下り傾斜となっている。なお、本実施形態における案内凹面４５の縦断面形状は曲線であるが、本発明はこれに限定されず、直線であってもよい。
【００３２】
また、図４（ａ）に示されるように、閉鎖姿勢である第１扉部材４１及び第２扉部材４２の対向面４３、４４の上縁が案内凹面４５の谷線を形成している。すなわち、第１扉部材４１に形成された案内凹面４５は、対向面４３に向かって下り傾斜となっている。同様に、第２扉部材４２に形成された案内凹面４５は、対向面４４に向かって下り傾斜となっている。なお、本実施形態における案内凹面４５の横断面形状は左右対称の曲線であるが、本発明はこれに限定されず、左右対称の直線であってもよい。
【００３３】
さらに、曳舟本体１１の左右方向における案内凹面４５の幅は、扉１６の後端に近づくほど広くなっている。すなわち、案内凹面４５は、対向面４３、４４の位置を基点として扉１６の後端側に向かって扇状に広がり、扉１６の後端の位置において扉１６のほぼ全域に亘って形成されている。
【００３４】
蓋体１４の後端部には、図５に示されるように、案内凹面４５上に迫り出したひさし４６が形成されている。さらに、曳舟本体１１の前後方向における案内凹面４５及びひさし４６の離間距離Ｈは、前方側ほど大きく、後方側ほど小さくなっている。なお、図５におけるひさし４６は、蓋体１４及び曳舟本体１１に亘って設けられてもよい。具体的には、ひさし４６は、扉１６の後端に接する位置から曳舟本体１１の上方で且つ前方に向けて延設されていてもよい。
【００３５】
本実施形態によれば、扉１６の上面に案内凹面４５を設けたことによって、例えば扉１６が開放される前に鮎を手放してしまったとしても、当該鮎が案内凹面４５に保持されて逃げ出すのを抑制することができる。すなわち、小さいサイズの鮎を収容室３７に収容しようとする場合であっても、釣人が簡単且つ確実に鮎を収容室３７に収容することができる。
【００３６】
また、本実施形態によれば、案内凹面４５が中央側（対向面４３、４４側）で且つ扉１６の後端側に向かって下り傾斜となっているので、鮎が案内凹面４５の中央で且つ後端側に導かれる。そして、案内凹面４５の後端側はひさし４６によって覆われている。これらにより、案内凹面４５に保持された鮎が逃げ出すのをさらに効果的に抑制することができる。
【００３７】
さらに、案内凹面４５とひさし４６との上下方向の離間距離Ｈは、扉１６の前方側において大きく、扉１６の後端側に近づくほど狭まっている。これにより、案内凹面４５上の鮎が扉１６の後端側に導入されやすく、且つ扉１６の後端側に導入された鮎が逃げ出すのをさらに効果的に抑制することができる。
【符号の説明】
【００３８】
１０・・・鮎釣用曳舟
１１・・・曳舟本体
１４・・・蓋体
３７・・・収容室
３８・・・開口
４０・・・鮎挿入口
４１・・・第１扉部材
４２・・・第２扉部材
４３・・・対向面
４４・・・対向面
４５・・・案内凹面
４６・・・ひさし
【図１】
2014204681.tif 000003
【図２】
2014204681.tif 000004
【図３】
2014204681.tif 000005
【図４】
2014204681.tif 000006
【図５】
2014204681.tif 000007
【図６】
2014204681.tif 000008
【図７】
2014204681.tif 000009